(57)【特許請求の範囲】
【請求項１】
ユーザ情報を取得するユーザ情報取得部と、
部屋を撮影した画像情報または映像情報の入力を受け付ける画像情報受付部と、
前記画像情報または前記映像情報に基づいて分析を行い、前記部屋に既に配置されている家具を含む構造物の情報を識別して抽出し、前記部屋内部の情報を示す間取り情報を生成する間取り情報生成部と、
前記ユーザ情報、及び前記間取り情報に基づき、あらかじめ記憶されている家具情報から前記ユーザに適した家具情報を選択し、選択された前記家具情報に係る家具を、前記画像情報または前記映像情報における前記部屋に既に配置されている家具に重ならないように、または前記部屋に既に配置されている家具に代替するように配置する家具配置部と、
前記家具が配置された前記画像情報または前記映像情報を前記ユーザへ提示する画像情報提示部と、を備え、
前記間取り情報生成部は、受け付けた前記画像情報または前記映像情報を分析し、前記分析の結果に基づいて前記ユーザの部屋内部及び前記部屋内部の各構造物間の寸法を決定し、
前記家具配置部は、前記画像情報または前記映像情報を解析し、前記解析の結果に基づいて前記部屋に対する前記ユーザの嗜好による雰囲気を示す雰囲気情報を決定し、決定した前記雰囲気情報と、前記寸法とから、前記ユーザに適した家具情報を選択して前記画像情報または前記映像情報に重ねて配置する、情報提供装置。
【請求項２】
前記家具配置部は、あらかじめ記憶されている３Ｄモデル化された家具情報から、選択された前記家具情報に係る家具を前記画像情報または前記映像情報に重ねて配置し、
前記画像情報提示部は、３Ｄモデル化された前記家具情報が配置された前記画像情報または前記映像情報を前記ユーザへ提示する、請求項１に記載の情報提供装置。
【請求項３】
前記画像情報提示部は、前記家具が配置された前記画像情報または前記映像情報において、前記家具情報を前記ユーザへ提示する、請求項１または請求項２に記載の情報提供装置。
【請求項４】
前記家具が配置された前記画像情報または前記映像情報において、配置された前記家具を前記画像情報または前記映像情報における他の位置へ移動、配置された前記家具を他の前記家具へ変更、または配置された前記家具を削除する変更削除受付部を備える、請求項１から請求項３のいずれか１項に記載の情報提供装置。
【請求項５】
前記ユーザ情報取得部は、前記ユーザの属性情報と、前記ユーザの部屋の好みを示す嗜好情報と、を取得する、請求項１から請求項４のいずれか１項に記載の情報提供装置。
【請求項６】
前記家具配置部は、前記属性情報に基づき、類似する属性情報を有する他のユーザが過去に家具を購入した購入情報から、前記ユーザに適した家具情報を選択する、請求項５に記載の情報提供装置。
【請求項７】
前記家具配置部は、前記ユーザへの１または複数の質問に対する回答に基づいて前記ユーザの嗜好情報を決定し、決定した前記嗜好情報から、前記ユーザに適した家具情報を選択する、請求項５または請求項６に記載の情報提供装置。
【請求項８】
前記ユーザから、前記家具が配置された前記画像情報または前記映像情報における前記家具の購入の入力を受け付ける購入受付部を備える、請求項１から請求項７のいずれか１項に記載の情報提供装置。
【請求項９】
前記家具配置部は、前記家具情報として記憶されている家具の物品情報、形状情報、色情報、または価格情報のいずれか１つまたは複数に基づき、前記ユーザに適した家具情報を選択する、請求項１から請求項８のいずれか１項に記載の情報提供装置。
【請求項１０】
前記間取り情報受付部は、前記部屋の床面、前記部屋の壁面、及び前記部屋の天井面を撮影した画像情報または前記映像情報に基づき、前記間取り情報を受け付ける、請求項１から請求項９のいずれか１項に記載の情報提供装置。
【請求項１１】
前記画像情報提示部は、前記家具が配置された前記画像情報または前記映像情報を、拡張現実空間または複合現実空間として前記ユーザへ提示する、請求項１から請求項１０のいずれか１項に記載の情報提供装置。
【請求項１２】
情報提供装置と、ユーザ端末と、を備える情報提供システムであって、
前記情報提供装置は、
ユーザ情報を取得するユーザ情報取得部と、
部屋を撮影した画像情報または映像情報の入力を受け付ける画像情報受付部と、
前記画像情報または前記映像情報に基づいて分析を行い、前記部屋に既に配置されている家具を含む構造物の情報を識別して抽出し、前記部屋内部の情報を示す間取り情報を生成する間取り情報生成部と、
前記ユーザ情報、及び前記間取り情報に基づき、あらかじめ記憶されている家具情報から前記ユーザに適した家具情報を選択し、選択された前記家具情報に係る家具を、前記画像情報または前記映像情報における前記部屋に既に配置されている家具に重ならないように、または前記部屋に既に配置されている家具に代替するように配置する家具配置部と、
前記家具が配置された前記画像情報または前記映像情報を前記ユーザ端末へ送信する画像情報提示部と、を備え、
前記間取り情報生成部は、受け付けた前記画像情報または前記映像情報を分析し、前記分析の結果に基づいて前記ユーザの部屋内部及び前記部屋内部の各構造物間の寸法を決定し、
前記家具配置部は、前記画像情報または前記映像情報を解析し、前記解析の結果に基づいて前記部屋に対する前記ユーザの嗜好による雰囲気を示す雰囲気情報を決定し、決定した前記雰囲気情報と、前記寸法とから、前記ユーザに適した家具情報を選択して前記画像情報または前記映像情報に重ねて配置し、
前記ユーザ端末は、
前記ユーザから、部屋の撮影を行い、撮影した画像情報または前記映像情報を前記情報提供装置へ送信する画像情報送信部と、
前記家具が配置された前記画像情報または前記映像情報を前記情報提供装置から受信し、前記ユーザへ表示する画像情報表示部と、を備える、情報提供システム。
【請求項１３】
ユーザ情報取得部が行う、ユーザ情報を取得するユーザ情報取得ステップと、
画像情報受付部が行う、部屋を撮影した画像情報または映像情報の入力を受け付ける画像情報受付ステップと、
間取り情報生成部が行う、前記画像情報または前記映像情報に基づいて分析を行い、前記部屋に既に配置されている家具を含む構造物の情報を識別して抽出し、前記部屋内部の情報を示す間取り情報を生成する間取り情報生成ステップと、
家具配置部が行う、前記ユーザ情報、及び前記間取り情報に基づき、あらかじめ記憶されている家具情報から前記ユーザに適した家具情報を選択し、選択された前記家具情報に係る家具を、前記画像情報または前記映像情報における前記部屋に既に配置されている家具に重ならないように、または前記部屋に既に配置されている家具に代替するように配置する家具配置ステップと、
画像情報提示部が行う、前記家具が配置された前記画像情報または前記映像情報を前記ユーザへ提示する画像情報提示ステップと、を備え、
前記間取り情報生成ステップでは、受け付けた前記画像情報または前記映像情報を分析し、前記分析の結果に基づいて前記ユーザの部屋内部及び前記部屋内部の各構造物間の寸法を決定し、
前記家具配置ステップでは、前記画像情報または前記映像情報を解析し、前記解析の結果に基づいて前記部屋に対する前記ユーザの嗜好による雰囲気を示す雰囲気情報を決定し、決定した前記雰囲気情報と、前記寸法とから、前記ユーザに適した家具情報を選択して前記画像情報または前記映像情報に重ねて配置する、情報提供方法。
【請求項１４】
ユーザ情報を取得するユーザ情報取得ステップと、
部屋を撮影した画像情報または映像情報の入力を受け付ける画像情報受付ステップと、
前記画像情報または前記映像情報に基づいて分析を行い、前記部屋に既に配置されている家具を含む構造物の情報を識別して抽出し、前記部屋内部の情報を示す間取り情報を生成する間取り情報生成ステップと、
前記ユーザ情報、及び前記間取り情報に基づき、あらかじめ記憶されている家具情報から前記ユーザに適した家具情報を選択し、選択された前記家具情報に係る家具を、前記画像情報または前記映像情報における前記部屋に既に配置されている家具に重ならないように、または前記部屋に既に配置されている家具に代替するように配置する家具配置ステップと、
前記家具が配置された前記画像情報または前記映像情報を前記ユーザへ提示する画像情報提示ステップと、を電子計算機に実行させるための、情報提供プログラムであって、
前記間取り情報生成ステップでは、受け付けた前記画像情報または前記映像情報を分析し、前記分析の結果に基づいて前記ユーザの部屋内部及び前記部屋内部の各構造物間の寸法を決定し、
前記家具配置ステップでは、前記画像情報または前記映像情報を解析し、前記解析の結果に基づいて前記部屋に対する前記ユーザの嗜好による雰囲気を示す雰囲気情報を決定し、決定した前記雰囲気情報と、前記寸法とから、前記ユーザに適した家具情報を選択して前記画像情報または前記映像情報に重ねて配置する、情報提供プログラム。
【発明の詳細な説明】
【技術分野】
【０００１】
本開示は、部屋を撮影した画像情報または映像情報に購入候補の家具が配置された状態を提示する情報提供装置、情報提供システム、情報提供方法及び情報提供プログラムに関する。
【背景技術】
【０００２】
近年、インターネット等の媒体を介して商品の販売を行う通信販売が普及してきている。特に、店舗で購入してから自宅へ搬入するのに手間がかかる、大型の商品や重量物の商品の場合、専用の配送業者により搬入してもらえるので有用である。
【０００３】
このような大型の商品の例として、家具が挙げられる。家具についても、多数の業者により通信販売が行われている。特に、インターネットを介して家具の販売を行う業者の場合、インターネット上に家具の写真等の画像情報を掲載し、通信販売の弱点である実物を見て購入することができない点を補っている。
【０００４】
しかしながら、家具の場合は、住居に配置されて使用するものであるため、現在居住している住居やこれから居住しようとしている住居との機能性またはデザイン性の相性や、他の家具との組み合わせも重要である。そのため、購入しようとしている者にとって、家具単体の画像情報を見てもイメージがわかず、購入の判断が難しいことも多い。そのため、家具の通信販売では、住居に実際に配置した場合のイメージをどのように提供できるかが重要である。
【０００５】
特許文献１には、建築物の三次元モデルから、建築物の内部空間の画像を作成する内観画像作成装置が開示されている。特許文献１に記載の内観画像作成装置では、空間の平面形状、空間の開口、空間に配置されている建具、設備若しくは家具に基づき、所定の視点から空間の内観画像を作成するように構成されている。
【先行技術文献】
【特許文献】
【０００６】
【特許文献１】特開２０１７−１７４３１０号公報
【発明の概要】
【発明が解決しようとする課題】
【０００７】
しかしながら、特許文献１に記載の内観画像作成装置では、通信販売で実際に販売されている家具の画像情報を内覧画像に表示させるものではないため、現在居住している住居やこれから居住しようとしている住居との組み合わせのイメージを沸かせることはできないものであった。
【０００８】
そこで、本開示では、部屋を撮影した画像情報または映像情報に対して、購入候補の家具が配置された状態の画像情報または映像情報を提示することが可能な情報提供装置、情報提供システム、情報提供方法及び情報提供プログラムについて説明する。
【課題を解決するための手段】
【０００９】
本開示の一態様における情報提供装置は、ユーザ情報を取得するユーザ情報取得部と、部屋を撮影した画像情報または映像情報の入力を受け付ける画像情報受付部と、画像情報または映像情報に基づいて分析を行い、部屋の間取り情報を生成する間取り情報生成部と、ユーザ情報、及び間取り情報に基づき、あらかじめ記憶されている家具情報からユーザに適した家具情報を選択し、選択された家具情報に係る家具を、画像情報または映像情報に重ねて配置する家具配置部と、家具が配置された画像情報または映像情報をユーザへ提示する画像情報提示部と、を備える。
【００１０】
本開示の一態様における情報提供システムは、情報提供装置と、ユーザ端末と、を備える情報提供システムであって、情報提供装置は、ユーザ情報を取得するユーザ情報取得部と、部屋を撮影した画像情報または映像情報の入力を受け付ける画像情報受付部と、画像情報または映像情報に基づいて分析を行い、部屋の間取り情報を生成する間取り情報生成部と、ユーザ情報、及び間取り情報に基づき、あらかじめ記憶されている家具情報からユーザに適した家具情報を選択し、選択された家具情報に係る家具を、画像情報または映像情報に重ねて配置する家具配置部と、家具が配置された画像情報または映像情報をユーザ端末へ送信する画像情報提示部と、を備え、ユーザ端末は、ユーザから、部屋の撮影を行い、撮影した画像情報または映像情報を情報提供装置へ送信する画像情報送信部と、家具が配置された画像情報または映像情報を情報提供装置から受信し、ユーザへ表示する画像情報表示部と、を備える。
【００１１】
本開示の一態様における情報提供方法は、ユーザ情報取得部が行う、ユーザ情報を取得するユーザ情報取得ステップと、画像情報受付部が行う、部屋を撮影した画像情報または映像情報の入力を受け付ける画像情報受付ステップと、間取り情報生成部が行う、画像情報または映像情報に基づいて分析を行い、部屋の間取り情報を生成する間取り情報生成ステップと、家具配置部が行う、ユーザ情報、及び間取り情報に基づき、あらかじめ記憶されている家具情報からユーザに適した家具情報を選択し、選択された家具情報に係る家具を、画像情報または映像情報に重ねて配置する家具配置ステップと、画像情報提示部が行う、家具が配置された画像情報または映像情報をユーザへ提示する画像情報提示ステップと、を備える。
【００１２】
また、本開示の一態様における情報提供プログラムは、ユーザ情報を取得するユーザ情報取得ステップと、部屋を撮影した画像情報または映像情報の入力を受け付ける画像情報受付ステップと、画像情報または映像情報に基づいて分析を行い、部屋の間取り情報を生成する間取り情報生成ステップと、ユーザ情報、及び間取り情報に基づき、あらかじめ記憶されている家具情報からユーザに適した家具情報を選択し、選択された家具情報に係る家具を、画像情報または映像情報に重ねて配置する家具配置ステップと、家具が配置された画像情報または映像情報をユーザへ提示する画像情報提示ステップと、を電子計算機に実行させる。
【発明の効果】
【００１３】
本開示によれば、ユーザの部屋が撮影された画像情報または映像情報を受け付け、画像情報または映像情報の分析が行われて間取り情報を生成し、ユーザに適した家具情報を選択してその家具を画像情報または映像情報に配置し、ユーザへ提示する。そのため、ユーザから受け付けた実際の住居の間取り情報に、家具情報に係る家具が配置された状態を提示することができる。これにより、ユーザは、実際の自己の住居に購入候補の家具が配置された状態の三次元空間によるイメージを視覚的に把握することが可能になる。
【図面の簡単な説明】
【００１４】
【図１】本開示の一実施形態に係る情報提供システム１を示す機能ブロック構成図である。
【図２】図１のユーザ端末２００を示す機能ブロック構成図である。
【図３】図１の情報提供システム１の動作を示すフローチャートである。
【図４】図２の表示部２２０に表示される、部屋の画像情報の例を示す模式図である。
【図５】図１の画像情報受付部１３２によって受け付けられた画像情報Ｒの例を示す模式図である。
【図６】図２の表示部２２０に表示される、嗜好情報の入力例を示す模式図である。
【図７】図１の家具ＤＢ１２３の格納例を示す模式図である。
【図８】図２の表示部２２０に表示される、画像情報の表示例を示す模式図である。
【図９】図２の表示部２２０に表示される、家具情報の提示例を示す模式図である。
【図１０】本開示の一実施形態に係る情報提供システム１Ａを示す機能ブロック構成図である。
【図１１】本開示の一実施形態に係る情報提供システム１Ｂを示す機能ブロック構成図である。
【図１２】本開示の一実施形態に係るコンピュータ７００を示す機能ブロック構成図である。
【発明を実施するための形態】
【００１５】
以下、本開示の実施形態について図面を参照して説明する。なお、以下に説明する実施形態は、特許請求の範囲に記載された本開示の内容を不当に限定するものではない。また、実施形態に示される構成要素のすべてが、本開示の必須の構成要素であるとは限らない。
【００１６】
＜構成＞
図１は、本開示の実施形態に係る情報提供システム１を示すブロック構成図である。この情報提供システム１は、限定ではなく例として、家具の販売を行う業者によって運営される、商品である家具情報の提供を行うシステムであり、この業者の顧客であるユーザの部屋を撮影した画像情報または映像情報に、販売する家具を配置した状態を提示するシステムである。ここで、ユーザの部屋を撮影した画像情報または映像情報とは、静止画による画像情報または動画による映像情報を含む概念であり、これらを総称して、以下「画像情報」と表記する。情報提供システム１による家具が配置された画像情報の提示は、例えば、拡張現実（ＡＲ）または複合現実（ＭＲ）の技術を用いて提供され、ユーザは、ユーザ端末を使用して、自己の部屋の画像情報に家具が配置された状態を把握する。
【００１７】
また、情報提供システム１による、画像情報に配置される家具は、ユーザの属性情報や嗜好情報に基づいて選択される。そのため、この情報提供システム１では、ユーザの属性情報及び嗜好情報の入力を受け付ける。
【００１８】
情報提供システム１は、情報提供装置１００と、ユーザ端末２００と、ネットワークＮＷとを有している。情報提供装置１００と、ユーザ端末２００とは、ネットワークＮＷを介して相互に接続される。ネットワークＮＷは、通信を行うための通信網であり、限定ではなく例として、インターネット、イントラネット、ＬＡＮ（Local Area Network）、ＷＡＮ（Wide Area Network）、ワイヤレスＬＡＮ（Wireless LAN：ＷＬＡＮ）、ワイヤレスＷＡＮ（Wireless WAN：ＷＷＡＮ）、仮想プライベートネットワーク（Virtual Private Network：ＶＰＮ）等を含む通信網により構成されている。
【００１９】
情報提供装置１００は、ユーザから、ユーザの属性情報、部屋の画像情報、ユーザの嗜好情報の入力を受け付け、画像情報を分析して間取り情報を生成し、ユーザの属性情報及び嗜好情報からユーザに適した家具情報を選択してその家具を画像情報に配置し、ユーザへ提示する装置である。この情報提供装置１００は、限定ではなく例として、各種Ｗｅｂサービスを提供するコンピュータ（デスクトップ、ラップトップ、タブレットなど）や、サーバ装置を含む装置等により構成されている。なお、サーバ装置は単体で動作するサーバ装置に限られず、ネットワークＮＷを介して通信を行うことで協調動作する分散型サーバシステムや、クラウドサーバでもよい。
【００２０】
ユーザ端末２００は、情報提供装置１００に対して、ユーザの属性情報、部屋を撮影した画像情報、ユーザの嗜好情報を入力し、家具が配置された画像情報の提示を受けるための、ユーザが使用する端末装置であり、限定ではなく例として、スマートフォンや、携帯端末、コンピュータ（デスクトップ、ラップトップ、タブレットなど）等により構成されている。このユーザ端末２００では、情報提供システム１のサービスの提供を受けるためのアプリがインストールされ、または情報提供装置１００にアクセスするためのＵＲＬ等が設定され、それらをタップまたはダブルクリック等して起動することにより、サービスが開始される。また、このユーザ端末２００は、ユーザの部屋の撮影をするためのカメラ機能を備えている。
【００２１】
情報提供装置１００は、その機能構成として、通信部１１０と、記憶部１２０と、制御部１３０とを備える。
【００２２】
通信部１１０は、ネットワークＮＷを介してユーザ端末２００と有線または無線で通信を行うための通信インタフェースであり、互いの通信が実行出来るのであればどのような通信プロトコルを用いてもよい。この通信部１１０は、限定ではなく例として、ＴＣＰ／ＩＰ（Transmission Control Protocol/Internet Protocol）等の通信プロトコルにより通信が行われる。
【００２３】
記憶部１２０は、各種制御処理や制御部１３０内の各機能を実行するためのプログラムや入力データ等を記憶するものであり、限定ではなく例として、ＲＡＭ（Random Access Memory）、ＲＯＭ（Read Only Memory）等を含むメモリや、ＨＤＤ（Hard Disk Drive）、ＳＳＤ（Solid State Drive）、フラッシュメモリ等を含むストレージから構成される。また、記憶部１２０は、ユーザＤＢ１２１と、間取りＤＢ１２２と、家具ＤＢ１２３とを記憶する。さらに、記憶部１２０は、ユーザ端末２００との間で通信を行った際のデータや、後述する各処理にて生成されたデータを一時的に記憶する。
【００２４】
ユーザＤＢ１２１には、情報提供システム１を運営する業者から家具を購入しようとするユーザを識別する識別データや、当該ユーザの年齢、性別、居住地といった属性情報が格納されている。ユーザの識別データは、情報提供システム１にログインするための情報であり、情報提供システム１で発行してもよく、ユーザの入力により決定してもよく、またはユーザのメールアドレス等であってもよい。
【００２５】
さらに、ユーザＤＢ１２１には、家具を購入しようとするユーザの嗜好情報が格納されている。嗜好情報とは、ユーザの家の居室や家具についての好みの情報である。具体的には、家の居室や家具のデザイン性、テイスト、色の情報、これらによる部屋の雰囲気、または使用する家具の機能性を示す情報であり、例えば、「アジアン」、「ヨーロッパ風」、「和風」、「ヴィンテージ」、「ダーク」、「アイボリー」、「ナチュラル」、「ロータイプ」といった情報である。この嗜好情報は、後述する嗜好情報取得部１３３により受け付けられ、前述の例のような文言からなるタグ情報が１または複数格納される。
【００２６】
間取りＤＢ１２２には、ユーザの部屋を撮影した画像情報と、この画像情報を分析することにより生成される、ユーザの部屋の間取り情報が格納される。間取り情報とは、具体的には、ユーザの部屋における壁や床、天井、ドアや窓、収納スペースの有無といった、ユーザの部屋の構造物の有無の情報や、部屋内部や各構造物間の寸法のような部屋の大きさの情報である。
【００２７】
家具ＤＢ１２３には、情報提供システム１を運営する業者が販売する家具情報が格納されている。家具情報とは、具体的には、「ソファ」、「テーブル」といった家具の種類、「ヴィンテージ」、「ダーク」、「アイボリー」、「ナチュラル」といった家具のデザイン性やテイスト、色の情報、家具の寸法及び価格を示す情報である。
【００２８】
また、家具ＤＢ１２３には、後述する家具配置部１３５により三次元空間に家具を配置するための、家具の画像情報が格納されている。三次元空間は立体（３Ｄ）モデル化された情報であるため、その三次元空間に配置するための家具の画像情報も、立体（３Ｄ）モデル化された情報である。
【００２９】
制御部１３０は、記憶部１２０に記憶されているプログラムを実行することにより、情報提供装置１００の全体の動作を制御するものであり、限定ではなく例として、ＣＰＵ（Central Processing Unit）、ＭＰＵ（Micro Processing Unit）、ＧＰＵ（Graphics Processing Unit）、マイクロプロセッサ（Microprocessor）、プロセッサコア（Processor core）、マルチプロセッサ（Multiprocessor）、ＡＳＩＣ（Application-Specific Integrated Circuit）、ＦＰＧＡ（Field Programmable Gate Array）を含む装置等から構成される。制御部１３０の機能として、属性情報取得部（ユーザ情報取得部）１３１と、画像情報受付部１３２と、嗜好情報取得部（ユーザ情報取得部）１３３と、間取り情報生成部１３４と、家具配置部１３５と、画像情報提示部１３６とを備えている。この属性情報取得部１３１、画像情報受付部１３２、嗜好情報取得部１３３、間取り情報生成部１３４、家具配置部１３５、及び画像情報提示部１３６は、記憶部１２０に記憶されているプログラムにより起動されて情報提供装置１００にて実行される。
【００３０】
属性情報取得部１３１は、ユーザ端末２００から情報提供装置１００へアクセスするユーザの属性情報を、通信部１１０を介して受け付ける。ユーザの属性情報は、限定ではなく例として、ユーザの年齢、性別、居住地の情報や、情報提供装置１００で閲覧した家具の情報、情報提供システム１を運営する業者から購入した家具の情報が含まれる。この属性情報は、ユーザが情報提供システム１に会員登録をする際や、当該業者から家具を購入する際に入力する、ユーザの住所、氏名、連絡先、決済手段等の情報入力の際に受け付けられる。受け付けられたユーザの属性情報は、ユーザＤＢ１２１に格納される。なお、属性情報取得部１３１は、ユーザの属性情報を他のＷｅｂサービス等から自動的に取得してもよい。
【００３１】
画像情報受付部１３２は、ユーザ端末２００からユーザの部屋の画像情報を、通信部１１０を介して受け付ける。部屋の画像情報は、ユーザの操作によりユーザ端末２００が撮影した、ユーザの部屋の静止画による画像情報または動画による映像情報である。また、ここでいう部屋とは、ユーザが実際に居住している部屋とは限られず、これから入居しようとしている部屋（例えば、不動産物件の内覧中に撮影した画像情報や映像情報）であってもよい。
【００３２】
ユーザによる部屋の画像情報の撮影の例について、以下に説明する。ユーザは、ユーザ端末２００を操作して部屋の壁面のうちの１方向を撮影する。その状態で、画像情報受付部１３２からの指示により、ユーザ端末２００の向きを水平方向に９０°ずつ回転させて移動させ、撮影しながら部屋の中で略一周させ、部屋の壁面の４方向を撮影する。また、画像情報受付部１３２からの指示により、ユーザ端末２００の向きを下方向に移動させて床面を撮影し、次に、ユーザ端末２００の向きを上方向に移動させて天井面を撮影する。このようにして、部屋の全方向の画像情報、例えば、全方位画像または全天球画像として取得する。このとき、ユーザ端末２００による部屋の壁面方向の撮影は、動画撮影でもよく、静止画の連続撮影でもよい。このユーザ端末２００により撮影された画像情報や映像情報が情報提供装置１００へ送信され、通信部１１０を介して画像情報受付部１３２が取得する。取得されたユーザの部屋の画像情報は、間取りＤＢ１２２に格納される。
【００３３】
嗜好情報取得部１３３は、ユーザ端末２００から、ユーザの部屋の好みを示す嗜好情報を、通信部１１０を介して受け付ける。嗜好情報取得部１３３では、当該ユーザの嗜好情報として、前述のような家の居室や家具のデザイン性やテイスト、色の情報、これらによる部屋の雰囲気を取得するために、これらの情報についての質問をユーザ端末２００へ送信し、その質問に対する回答を受け付けて嗜好情報として受け付ける。受け付けた嗜好情報は、ユーザＤＢ１２１に格納される。なお、嗜好情報取得部１３３は、ユーザの嗜好情報を他のＷｅｂサービス等から自動的に取得してもよい。
【００３４】
間取り情報生成部１３４は、画像情報受付部１３２で受け付けたユーザの部屋の画像情報に基づいて分析を行い、ユーザの部屋の間取り情報を生成する。具体的には、間取り情報生成部１３４はユーザ端末２００により撮影された画像情報や映像情報を物体識別等の処理により分析し、ユーザの部屋における壁や床、天井を判別する。また、間取り情報生成部１３４は、既に配置されている家具や、ドアや窓、収納スペースの有無といった構造物の情報を抽出してもよく、これらの情報からユーザの部屋の間取り情報を生成してもよい。さらに、間取り情報生成部１３４は、撮影された画像情報や映像情報の分析を行い、ユーザの部屋の用途（例えば、一人暮らし用のワンルーム、複数室存在する住居のリビングルーム、等）やテイスト（例えば、ヴィンテージ、ダーク、等）の情報を抽出してもよい。また、間取り情報生成部１３４はユーザ端末２００により撮影された画像情報や映像情報を分析し、部屋内部や各構造物間の寸法を算出する。生成された間取り情報は、間取りＤＢ１２２に格納される。
【００３５】
家具配置部１３５は、属性情報取得部１３１で受け付けた属性情報、嗜好情報取得部１３３で受け付けた嗜好情報、及び間取り情報生成部１３４で生成された部屋の間取り情報に基づき、家具ＤＢ１２３に格納されている家具情報から当該ユーザに適した家具に係る家具情報を選択する。なお、家具配置部１３５が選択する家具は、１または複数の家具でもよく、これらを提示してユーザの選択により決定してもよい。このとき、同様の種類の家具を複数提示してもよく、複数の家具からなるセットを提示してもよい。さらに、家具配置部１３５は、画像情報受付部１３２で受け付けた、ユーザの部屋を撮影した画像情報に対して、立体（３Ｄ）モデル化された家具の画像情報を重ねて配置し、拡張現実（ＡＲ）空間または複合現実（ＭＲ）空間を構成する。なお、家具配置部１３５は、あらかじめ定められたルールに従って家具の画像情報を三次元空間に配置してもよい。このルールは、例えば「ドアの前に家具を配置しない。」、「窓を遮蔽するように家具を配置しない（窓が遮蔽されない高さの家具であればよい）。」のように定められたものである。
【００３６】
具体的には、家具配置部１３５は、家具ＤＢ１２３に格納されている家具情報から、家具の寸法や、家具の種類を示す物品情報、外観を示す形状情報、色情報、または価格情報に基づいて、部屋の間取り情報に基づいて当該部屋の雰囲気や寸法に合うように家具情報を選択する。このとき、家具配置部１３５は、部屋の画像情報における既に配置されている家具に重ならないように配置してもよく、部屋の画像情報における既に配置されている家具に代替するように重ねて配置してもよい。
【００３７】
家具配置部１３５は、限定ではなく例として、当該ユーザや、当該属性を有する他のユーザが、情報提供システム１を運営する業者から過去に購入した購入情報（図示は省略する）から、属性情報取得部１３１で受け付けた属性情報に基づいて当該ユーザの好みに近い家具であると判定し、当該ユーザに適した家具に係る家具情報として選択する。例えば、属性情報に基づいて、ユーザを○○県在住の２０代女性、△△県在住の４０代男性、のようなセグメントごとに分類し、セグメントごとに見られる購買行動の特徴から、ユーザの好みに近い家具の種類、形状、価格帯の家具情報に基づいて家具ＤＢ１２３から選択してもよい。
【００３８】
また、家具配置部１３５は、限定ではなく例として、画像情報受付部１３２で受け付けた間取り情報からその部屋の雰囲気を示す雰囲気情報を決定し、当該雰囲気情報に属する家具を、当該ユーザに適した家具に係る家具情報として選択する。例えば、間取り情報の画像情報や映像情報の解析結果から、部屋の雰囲気を「アジアン」、「ヨーロッパ風」といった雰囲気情報に分類し、該当する雰囲気の家具情報をユーザの好みに近い家具情報として家具ＤＢ１２３から選択してもよい。
【００３９】
また、家具配置部１３５は、限定ではなく例として、嗜好情報取得部１３３で受け付けた嗜好情報から当該ユーザの嗜好情報を決定し、当該嗜好情報に属する家具を、当該ユーザに適した家具に係る家具情報として選択する。例えば、嗜好情報取得部１３３による質問への回答から、ユーザの嗜好情報を「ヴィンテージ」、「ダーク」、「アイボリー」といった嗜好情報に分類し、該当する家具情報をユーザの好みに近い家具情報として家具ＤＢ１２３から選択してもよい。
【００４０】
画像情報提示部１３６は、家具配置部１３５にて家具を配置し、拡張現実（ＡＲ）空間または複合現実（ＭＲ）空間を構成した画像情報を、通信部１１０を介してユーザ端末２００へ送信し、ユーザへ提示する。提示される画像情報は、例えば、全方位画像または全天球画像により表現される。
【００４１】
また、画像情報提示部１３６は、拡張現実（ＡＲ）空間または複合現実（ＭＲ）空間の画像情報と共に、配置された家具の家具情報、例えば家具の物品情報、形状情報、色情報、または価格情報を、通信部１１０を介してユーザ端末２００へ送信し、ユーザへ提示する。ユーザが家具の外観だけではなく、名称や価格等のような情報も、家具購買の決定に際して、ユーザにとって必要だからである。
【００４２】
図２は、図１のユーザ端末２００を示す機能ブロック構成図である。ユーザ端末２００は、通信部２１０と、表示部２２０と、操作部２３０と、記憶部２４０と、制御部２５０とを備える。
【００４３】
通信部２１０は、ネットワークＮＷを介して情報提供装置１００と有線または無線で通信を行うための通信インタフェースであり、互いの通信が実行できるのであればどのような通信プロトコルを用いてもよい。この通信部２１０は、限定ではなく例として、ＴＣＰ／ＩＰ等の通信プロトコルにより通信が行われる。
【００４４】
表示部２２０は、ユーザから入力された操作内容や、情報提供装置１００からの送信内容を表示するために用いられるユーザインタフェースであり、液晶ディスプレイ等から構成される。表示部２２０では、ユーザが入力する属性情報、嗜好情報や、情報提供装置１００から送信されて提示される、拡張現実（ＡＲ）空間または複合現実（ＭＲ）空間の画像情報を表示する。
【００４５】
操作部２３０は、ユーザが操作指示を入力するために用いられるユーザインタフェースであり、キーボードやマウス、タッチパネル等から構成される。操作部２３０では、ユーザの属性情報や嗜好情報が入力される。
【００４６】
記憶部２４０は、各種制御処理や制御部２５０内の各機能を実行するためのプログラム、入力データ等を記憶するものであり、限定ではなく例として、ＲＡＭ、ＲＯＭ等を含むメモリや、ＨＤＤ、ＳＳＤ、フラッシュメモリ等を含むストレージから構成される。また、記憶部２４０は、情報提供装置１００と通信を行ったデータを一時的に記憶する。
【００４７】
制御部２５０は、記憶部２４０に記憶されているプログラムを実行することにより、ユーザ端末２００の全体の動作を制御するものであり、限定ではなく例として、ＣＰＵ、ＭＰＵ、ＧＰＵ、マイクロプロセッサ、プロセッサコア、マルチプロセッサ、ＡＳＩＣ、ＦＰＧＡを含む装置等から構成される。制御部２５０の機能として、属性情報送信部２５１と、画像情報送信部２５２と、嗜好情報送信部２５３と、画像情報表示部２５４とを備えている。この属性情報送信部２５１、画像情報送信部２５２、嗜好情報送信部２５３、及び画像情報表示部２５４は、記憶部２４０に記憶されているプログラムにより起動されてユーザ端末２００にて実行される。
【００４８】
属性情報送信部２５１は、ユーザの属性情報の入力を操作部２３０から受け付け、通信部２１０を介して情報提供装置１００へ送信する。送信された属性情報は、情報提供装置１００の属性情報取得部１３１で受け付けられる。
【００４９】
画像情報送信部２５２は、ユーザの操作によりカメラ機能でユーザの部屋を撮影し、撮影した画像情報を、通信部２１０を介して情報提供装置１００へ送信する。送信された間取り情報は、情報提供装置１００の画像情報受付部１３２で受け付けられる。
【００５０】
嗜好情報送信部２５３は、ユーザの嗜好情報の入力を操作部２３０から受け付け、通信部２１０を介して情報提供装置１００へ送信する。送信された属性情報は、情報提供装置１００の嗜好情報取得部１３３で受け付けられる。
【００５１】
画像情報表示部２５４は、情報提供装置１００の画像情報提示部１３６から送信された、家具が配置されて拡張現実（ＡＲ）空間または複合現実（ＭＲ）空間が構成された画像情報を、通信部２１０を介して受け付ける。受け付けた画像情報は、表示部２２０に表示される。
【００５２】
＜処理の流れ＞
図３を参照しながら、情報提供システム１が実行する、情報提供処理の流れの一例について説明する。図３は、図１の情報提供システム１の動作を示すフローチャートである。
【００５３】
ステップＳ１０１の処理として、情報提供装置１００では、情報提供システム１によるサービスの提供を受けるために、ユーザ認証が行われる。そのため、例えば、ユーザの操作によりユーザ端末２００でユーザの年齢、性別、居住地の情報が入力されてユーザ登録が行われる。このとき、ユーザ端末２００の属性情報送信部２５１では、ユーザの属性情報が入力され、情報提供装置１００の属性情報取得部１３１では、ユーザの属性情報が通信部１１０を介して受け付けられ、ユーザＤＢ１２１に格納される。また、情報提供システム１にログインするため、アカウント情報とパスワードの入力要求が行われ、入力された情報に基づいて登録されている情報と一致するか照合することで、ユーザ認証が行われる。一致した場合、情報提供装置１００にログインされる。
【００５４】
ステップＳ１０２の処理として、ユーザ端末２００の画像情報送信部２５２では、ユーザの操作により、ユーザの部屋がカメラ機能で撮影され、撮影された画像情報が情報提供装置１００へ送信される。情報提供装置１００の画像情報受付部１３２では、ユーザの部屋の画像情報が通信部１１０を介して受け付けられる。
【００５５】
図４は、図２の表示部２２０に表示される、部屋の画像情報の例を示す模式図である。ユーザ端末２００の操作により画像情報送信部２５２が起動されると、ユーザ端末２００のカメラ機能が起動して撮影状態になり、ユーザ端末２００に備えるＣＣＤカメラ等の撮影によりユーザの部屋が撮影され、図４に示すように、表示部２２０に表示される。
【００５６】
図４に示すように、例えば、ユーザの部屋を撮影した画像情報が表示部２２０に表示される。ユーザの部屋は、例えば、壁面Ｗ１と、壁面Ｗ１と垂直方向に接する壁面Ｗ２と、壁面Ｗ１及び壁面Ｗ２の下部に水平方向に接する床面Ｆ１と、壁面Ｗ１及び壁面Ｗ２の上部に水平方向に接する天井面Ｃ１と、により構成され、この部屋の一部を撮影した画像が表示部２２０に表示される。なお、壁面Ｗ１，Ｗ２は、必ずしも部屋の四隅を囲う壁面である必要はなく、一部が開放されていてもよく、方形の部屋でなくてもよい。また、図４に示すように、窓等の構造物が存在してもよい。
【００５７】
部屋の撮影は、例えば、画像情報受付部１３２からの指示により、ユーザ端末２００を操作して部屋の壁面のうちの１方向、例えば図４に示す矢印Ａ方向に向けて壁面Ｗ１を撮影する。次に、画像情報受付部１３２からの指示により、ユーザ端末２００の向きを水平方向に９０°回転させて右方向に移動させ、例えば図４に示す矢印Ｂ方向に向けて壁面Ｗ２を撮影する。このようにして、撮影しながら部屋の中で略一周させ、部屋の壁面の４方向を撮影する。
【００５８】
次に、画像情報受付部１３２からの指示により、ユーザ端末２００の向きを、図４に示す矢印Ｃ方向に移動させて部屋の床面Ｆ１を撮影する。さらに、画像情報受付部１３２からの指示により、ユーザ端末２００の向きを、図４に示す矢印Ｄ方向に移動させて部屋の天井面Ｃ１を撮影する。このようにして、ユーザの部屋の全方向の画像情報を、全方位画像または全天球画像として取得する。この間取り情報は、情報提供装置１００へ送信される。
【００５９】
図５は、図１の画像情報受付部１３２によって受け付けられた画像情報Ｒの例を示す模式図である。ステップＳ１０２で、ユーザ端末２００により撮影された画像情報や映像情報は、図５に示す壁面Ｗ１，Ｗ２、床面Ｆ１、及び天井面Ｃ１のように構成された画像情報Ｒのように、例えば全方位画像として生成される。この画像情報Ｒは、ユーザの部屋の四方向の画像を連続的に表現したものであり、どの方向を向いてもユーザの部屋の画像情報が見れるようになっている。すなわち、図５では表現できていないが、右端と左端とが連続的に接しており、上下方向についても同様である。
【００６０】
ステップＳ１０３の処理として、情報提供装置１００の嗜好情報取得部１３３では、ユーザの嗜好情報についての質問が送信され、ユーザ端末２００の表示部２２０に表示される。嗜好情報送信部２５３では、ユーザの操作によりユーザの嗜好情報が入力されて情報提供装置１００へ送信される。情報提供装置１００の嗜好情報取得部１３３では、ユーザの嗜好情報が通信部１１０を介して受け付けられる。
【００６１】
図５は、図２の表示部２２０に表示される、嗜好情報の入力例を示す模式図である。情報提供装置１００からユーザの嗜好情報についての質問が送信されると、その質問内容及び回答の選択肢が、図５に示すように、ユーザ端末２００の表示部２２０に表示される。
【００６２】
図５に示すように、例えば、ユーザの嗜好情報の１つである、家の居室や家具のテイストを選択する質問文Ｔ１が表示され、選択ボタンＢ１，Ｂ２，Ｂ３が表示部２２０に表示される。選択ボタンＢ１，Ｂ２，Ｂ３は、家の居室や家具のテイストについて、それぞれ「アイボリー」、「ホワイト」、「ナチュラル」と回答するためのボタンである。この質問に対して、ユーザは選択ボタンＢ１，Ｂ２，Ｂ３のいずれか１つを選択（表示部２２０上でタップ）すると、その回答が嗜好情報送信部２５３で受け付けられ、情報提供装置１００へ送信される。
【００６３】
ステップＳ１０４の処理として、情報提供装置１００の間取り情報生成部１３４では、ステップＳ１０２で受け付けたユーザの部屋の画像情報に基づいて分析が行われ、ユーザの部屋の間取り情報が生成される。ユーザの部屋の画像情報から、ユーザの部屋における壁や床、天井を判別され、部屋内部や各構造物間の寸法が算出される。このとき、ドアや窓、収納スペースの有無といった構造物の情報を抽出してもよい。
【００６４】
ステップＳ１０５の処理として、家具配置部１３５では、ステップＳ１０１で受け付けられた属性情報、ステップＳ１０３で受け付けられた嗜好情報、及びステップＳ１０４で生成された間取り情報に基づき、家具ＤＢ１２３に格納されている家具情報から当該ユーザに適した家具に係る家具情報が選択される。
【００６５】
図７は、図１の家具ＤＢ１２３の格納例を示す模式図である。家具ＤＢ１２３には、図７に示す商品ＩＤに紐づいて、図７に示す家具ＤＢ１２３の列名に対応して、商品名、商品画像、テイスト、寸法データ、及び価格の各情報が含まれる。
【００６６】
商品ＩＤは、家具情報を識別する識別情報である。商品名は、家具の種類を示す物品名であり、例えば、「ソファ」、「テーブル」、「収納棚」のような情報が格納されている。商品画像は、三次元空間に家具を配置するための、立体（３Ｄ）モデル化された家具の画像情報である。テイストは、家具のテイストを示す情報であり、例えば、「アイボリー」、「ホワイト」、「ナチュラル」のような情報が格納されている。寸法データは、当該家具の実際の寸法が、例えば幅、奥行き、高さの情報として格納されている。価格は、当該家具の価格情報である。ステップＳ１０５では、これらの情報から、当該ユーザに適した家具に係る家具情報が選択される。
【００６７】
ステップＳ１０６の処理として、家具配置部１３５では、ステップＳ１０２で受け付けられたユーザの部屋を撮影した画像情報に対して、ステップＳ１０５で選択された、立体（３Ｄ）モデル化された家具の画像情報が重ねて配置され、拡張現実（ＡＲ）空間または複合現実（ＭＲ）空間が構成される。
【００６８】
図８は、図２の表示部２２０に表示される、画像情報の表示例を示す模式図である。ステップＳ１０６では、図６に示すようなユーザの部屋を撮影した拡張現実（ＡＲ）空間、または複合現実（ＭＲ）空間に対して、ステップＳ１０５で選択された、図７の商品画像に示すような立体（３Ｄ）モデル化された家具の画像情報が配置される。図８に示す例では、家具の例として椅子Ｇ１及びテーブルＧ２が配置されている。この椅子Ｇ１及びテーブルＧ２は、画像情報では他の家具が配置されていた位置に重ねて表示されたものでもよく、画像情報では他の家具は配置されていない状態で重ねて表示されたものでもよい。この画像情報は、後述するステップＳ１０７において、ユーザ端末２００へ送信されて表示部２２０に表示される。
【００６９】
ステップＳ１０７の処理として、画像情報提示部１３６では、ステップＳ１０６で家具が配置され、拡張現実（ＡＲ）空間または複合現実（ＭＲ）空間を構成した画像情報が、通信部１１０を介してユーザ端末２００へ送信される。ユーザ端末２００の画像情報表示部２５４では、受け付けた画像情報が、図８に示すように表示部２２０に表示される。このとき、画像情報提示部１３６では、配置された家具の家具情報も送信されるので、画像情報表示部２５４では、受け付けた家具情報も表示される。
【００７０】
図９は、図２の表示部２２０に表示される、家具情報の提示例を示す模式図である。図９に示すように、図８に示すユーザの部屋を模した拡張現実（ＡＲ）空間、または複合現実（ＭＲ）空間の表示に対して、ステップＳ１０７で受け付けた家具情報が、図９に示すように家具情報Ｔ２として表示される。家具情報Ｔ２は、例えば商品名（家具の物品名）、価格、及び当該家具を参照するためのＷｅｂページへのリンク情報が表示されている。ユーザは、この家具情報も参照することで、購入するか否か判断することができる。
【００７１】
＜効果＞
以上のように、本実施形態に係る情報提供装置、情報提供システム及び情報提供方法では、画像情報受付部によりユーザの部屋が撮影された画像情報が受け付けられ、間取り情報生成部により間取り情報が生成され、家具配置部によりユーザに適した家具情報が選択されてその家具が画像情報に配置されて拡張現実（ＡＲ）空間または複合現実（ＭＲ）空間として構成され、、ユーザに提示される。そのため、ユーザから受け付けた実際の住居の間取り情報に、家具情報に係る家具が配置された状態を提示することができる。これにより、ユーザは、実際の自己の住居や部屋に購入候補の家具が配置された状態の三次元空間によるイメージを視覚的に把握することが可能になる。
【００７２】
また、属性情報受付部によりユーザの属性情報が受け付けられ、嗜好情報受付部によりユーザの部屋の好みを示す嗜好情報が受け付けられ、家具配置部により、ユーザの属性情報及び嗜好情報に基づいてユーザに適した家具情報が選択される。これにより、ユーザの好みに近い家具を提示することが可能になる。
【００７３】
（実施形態２）
図１０は、本開示の実施形態２に係る情報提供システム１Ａを示す機能ブロック構成図である。この情報提供システム１Ａは、家具の販売を行う業者によって運営される、商品である家具情報の提供を行うシステムであり、この業者の顧客であるユーザの部屋を撮影した画像情報に、販売する家具を配置した状態を提示するシステムである点において、実施形態１に係る情報提供システム１と同様であるが、制御部１３０の機能として購入受付部１３７を備えている点において、実施形態１に係る情報提供システム１と異なる。その他の構成及び処理の流れについては、実施形態１と同様である。
【００７４】
本実施形態では、実施形態１において提示した家具について、実際に購入するための手段を備えている。
【００７５】
購入受付部１３７は、ユーザ端末２００から、家具配置部１３５によって画像情報に配置され、画像情報提示部１３６によって提示された家具を、ユーザが実際に購入する旨の入力を受け付ける。
【００７６】
例えば、図９に示す家具情報Ｔ２を選択（表示部２２０上でタップ）すると、購入受付部１３７が起動して表示部２２０に購入手続きを行う画面（図示は省略する）が表示される。ユーザは、ユーザ端末２００の操作により決済方法等を入力し、決済を行う意思表示をすることにより、実際に当該家具の販売が行われる。
【００７７】
本実施形態によれば、上記実施形態１の効果に加え、購入受付部により、ユーザによる家具の購入手続きが行われる。これにより、家具の購入手続きを容易に行うことができるので、家具の販売業者にとって、購入手続きが面倒であることによる顧客獲得の機会逸失を防止できる。
【００７８】
（実施形態３）
図１１は、本開示の実施形態３に係る情報提供システム１Ｂを示す機能ブロック構成図である。この情報提供システム１Ｂは、家具の販売を行う業者によって運営される、商品である家具情報の提供を行うシステムであり、この業者の顧客であるユーザの部屋を撮影した画像情報に、販売する家具を配置した状態を提示するシステムである点において、実施形態１に係る情報提供システム１と同様であるが、制御部１３０の機能として変更削除受付部１３８を備えている点において、実施形態１に係る情報提供システム１と異なる。その他の構成及び処理の流れについては、実施形態１と同様である。
【００７９】
本実施形態では、実施形態１において提示した家具について位置の移動、変更または削除をするための機能を備えている。
【００８０】
変更削除受付部１３８は、ユーザ端末２００から、家具配置部１３５によって画像情報に配置され、画像情報提示部１３６によって提示された家具をこの三次元空間における他の位置へ移動、家具の変更または削除する旨の入力を受け付ける。
【００８１】
例えば、図９に示す椅子Ｇ１またはテーブルＧ２を当該三次元空間内の他の位置へ移動させるために表示部２２０上で所定の操作（例えば、当該家具を選択して他の位置へスワイプ）を行うと、椅子Ｇ１またはテーブルＧ２が移動後の位置に表示される。また、例えば、図９に示す椅子Ｇ１またはテーブルＧ２を他の家具に変更したり、削除したりするために表示部２２０上で所定の操作（例えば、当該家具を選択して画面外へスワイプ）を行うと、家具ＤＢ１２３から再度他の家具が選択され、または表示部２２０に表示されている三次元空間から削除される。
【００８２】
本実施形態によれば、上記実施形態１の効果に加え、変更削除受付部により、提示された家具の変更または削除が行われる。これにより、家具配置部により選択された家具が好みに合わない場合、家具を変更したり削除したりすることができるので、ユーザの好みにより近い家具を提示することが可能である。
【００８３】
（実施形態４（プログラム））
図１２は、コンピュータ（電子計算機）７００の構成の例を示す機能ブロック構成図である。コンピュータ７００は、ＣＰＵ７０１、主記憶装置７０２、補助記憶装置７０３、インタフェース７０４を備える。
【００８４】
ここで、実施形態１ないし３に係る属性情報取得部１３１と、画像情報受付部１３２と、嗜好情報取得部１３３と、間取り情報生成部１３４と、家具配置部１３５と、画像情報提示部１３６と、購入受付部１３７と、変更削除受付部１３８とを構成する各機能を実現するための制御プログラム（情報提供プログラム）の詳細について説明する。これらの機能ブロックは、コンピュータ７００に実装される。そして、これらの各構成要素の動作は、プログラムの形式で補助記憶装置７０３に記憶されている。ＣＰＵ７０１は、プログラムを補助記憶装置７０３から読み出して主記憶装置７０２に展開し、当該プログラムに従って前述の処理を実行する。また、ＣＰＵ７０１は、プログラムに従って、上述した記憶部に対応する記憶領域を主記憶装置７０２に確保する。
【００８５】
当該プログラムは、具体的には、コンピュータ７００において、ユーザ情報を取得するユーザ情報取得ステップと、ユーザの操作により、部屋を撮影した画像情報の入力を受け付ける画像情報受付ステップと、画像情報に基づいて分析を行い、部屋の間取り情報を生成する間取り情報生成ステップと、ユーザ情報、及び間取り情報に基づき、あらかじめ記憶されている家具情報からユーザに適した家具情報を選択し、選択された家具情報に係る家具を、画像情報に重ねて配置する家具配置ステップと、家具が配置された画像情報をユーザへ提示する画像情報提示ステップと、をコンピュータによって実現する制御プログラムである。
【００８６】
なお、補助記憶装置７０３は、一時的でない有形の媒体の一例である。一時的でない有形の媒体の他の例としては、インタフェース７０４を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ７００に配信される場合、配信を受けたコンピュータ７００が当該プログラムを主記憶装置７０２に展開し、前述の処理を実行してもよい。
【００８７】
また、当該プログラムは、前述した機能の一部を実現するためのものであってもよい。さらに、当該プログラムは、前述した機能を補助記憶装置７０３に既に記憶されている他のプログラムとの組み合わせで実現するもの、いわゆる差分ファイル（差分プログラム）であってもよい。
【００８８】
以上、開示に係る実施形態について説明したが、これらはその他の様々な形態で実施することが可能であり、種々の省略、置換および変更を行なって実施することが出来る。これらの実施形態および変形例ならびに省略、置換および変更を行なったものは、特許請求の範囲の技術的範囲とその均等の範囲に含まれる。
【符号の説明】
【００８９】
１，１Ａ，１Ｂ  情報提供システム、１００，１００Ａ，１００Ｂ  情報提供装置、１１０  通信部、１２０  記憶部、１２１  ユーザＤＢ、１２２  間取りＤＢ、１２３  家具ＤＢ、１３０  制御部、１３１  属性情報受付部（ユーザ情報取得部）、１３２  画像情報受付部、１３３  嗜好情報受付部（ユーザ情報取得部）、１３４  間取り情報生成部、１３５  家具配置部、１３６  画像情報提示部、１３７  購入受付部、１３８  変更削除受付部、２００  ユーザ端末、２１０  通信部、２２０  表示部、２３０  操作部、２４０  記憶部、２５０  制御部、２５１  属性情報送信部、２５２  画像情報送信部、２５３  嗜好情報送信部、２５４  画像情報表示部、ＮＷ  ネットワーク
【要約】
【課題】部屋を撮影した画像情報に対して、購入候補の家具が配置された状態の画像情報を提示することが可能な情報提供装置、システム、方法及びプログラムを提供する。
【解決手段】情報提供システム１の情報提供装置１００は、その機能として、ユーザの属性情報を受け付ける属性情報取得部１３１と、ユーザの部屋を撮影した画像情報を受け付ける画像情報受付部１３２と、ユーザの部屋の好みを示す嗜好情報を受け付ける嗜好情報取得部１３３と、ユーザの部屋の間取り情報を生成する間取り情報生成部１３４と、属性情報、間取り情報、または嗜好情報に基づき、当該ユーザに適した家具に係る家具情報を選択して部屋の画像情報に配置する家具配置部１３５と、家具を配置した画像情報をユーザへ提示する画像情報提示部１３６と、を備える。
【選択図】図１【図１】
0006838130.tif 000002
【図２】
0006838130.tif 000003
【図３】
0006838130.tif 000004
【図４】
0006838130.tif 000005
【図５】
0006838130.tif 000006
【図６】
0006838130.tif 000007
【図７】
0006838130.tif 000008
【図８】
0006838130.tif 000009
【図９】
0006838130.tif 000010
【図１０】
0006838130.tif 000011
【図１１】
0006838130.tif 000012
【図１２】
0006838130.tif 000013